(57)【要約】【課題】  形状記憶合金を用い小型、特に薄型で部品点数が少なく軽量で安価なアクチュエータの提供。【解決手段】  平板状の支持基材６に支持箇所７および凹部８を１又は複数設け、それらに交差するように形状記憶合金線４を凹部８で弛みを持たせて懸け渡し、両端を固定部５で固定し、上方から平板状の可動子２をその突出部３が凹部８の形状記憶合金線４の弛み部分に入るように配置し、ばね等でバイアス力９をかけておく（図１の（ｃ））。形状記憶合金線４は常温では弛んでいるがこれに通電加熱すると収縮緊張して直線状に張るので、突出部３を押し上げ可動子２が移動する（図１の（ｄ））。【選択図】        図１
2005226456.tif 000002
【特許請求の範囲】
【請求項１】
下記の各手段を具備することを特徴とする形状記憶合金アクチュエータ。
（イ）線材又はテープ材を弛みを持たせて懸け渡すことのできる支持箇所を有する支持基材
（ロ）前記支持箇所間で弛みを持たせて懸け渡された形状記憶合金線
（ハ）前記形状記憶合金線の長さが電流を流すことにより収縮したとき弛みの減少に応じて弛み部分への突出部が形状記憶合金線に押されて移動する可動子
（ニ）前記可動子を前記形状記憶合金線へその収縮による移動力よりも弱い力で押し付ける付勢手段
【請求項２】
支持基材の支持箇所および対応する可動子の突出部が複数であることを特徴とする請求項１記載の形状記憶合金アクチュエータ。
【請求項３】
請求項１又は２記載の形状記憶合金アクチュエータを複数段重ねたことを特徴とする形状記憶合金アクチュエータ。
【請求項４】
下記の各手段を具備することを特徴とする形状記憶合金アクチュエータ。
（イ）線材又はテープ材を弛みを持たせて懸け渡すことのできる支持箇所を有する第１の支持基材
（ロ）線材又はテープ材を弛みを持たせて懸け渡すことのできる支持箇所を有し、支持箇所を有する面が、前記第１の支持基材の支持箇所を有する面に間隔を置いて固定対向する第２の支持基材
（ハ）前記第１の支持基材および第２の支持基材それぞれの支持箇所間で弛みを持たせて懸け渡された第１および第２の形状記憶合金線
（ニ）前記第１の支持基材および第２の支持基材の間にあって、両面にそれぞれ前記第１および第２の形状記憶合金線の各弛み部分に対応する突出部を有し、接している形状記憶合金線が電流の流れにより収縮したときに押されて移動する可動子
【請求項５】
支持基材の複数の支持箇所および対応する可動子の突出部が円形状に配列されていることを特徴とする請求項１、２又は３記載の形状記憶合金アクチュエータ。
【請求項６】
下記の各手段を具備することを特徴とする形状記憶合金アクチュエータ。
（イ）線材又はテープ材を間隔を置いて２本平行して弛みを持たせて懸け渡すことのできる支持箇所を有する支持基材
（ロ）前記支持箇所間で弛みを持たせ、間隔をあけて平行に懸け渡された２本の形状記憶合金線
（ハ）前記形状記憶合金線の弛みに対応する突出部を有し、形状記憶合金線が収縮したときに突出部が押されるように配置され、１本の形状記憶合金線のみ収縮した場合および２本の形状記憶合金線の収縮程度が異なる場合に傾き移動をする可動子
（ニ）前記可動子を形状記憶合金線へその収縮による移動力よりも弱い力で押し付ける付勢手段
【請求項７】
支持基材の支持箇所の形状が凹凸の繰り返し形状の凸部であることを特徴とする請求項１〜６のいずれか１項に記載の形状記憶合金アクチュエータ。
【請求項８】
支持基材の支持箇所の形状が板状部材上に円柱状部材を一定間隔で並べた形状であることを特徴とする請求項１〜６のいずれか１項に記載の形状記憶合金アクチュエータ。
【請求項９】
可動子の突出部の形状が凹凸の繰り返しによって形成された凸部であることを特徴とする請求項１〜８のいずれか１項に記載の形状記憶合金アクチュエータ。
【請求項１０】
可動子の突出部の形状が板状部材上に円柱部材を一定間隔で並べた形状であることを特徴とする請求項１〜８のいずれか１項に記載の形状記憶合金アクチュエータ。
【請求項１１】
形状記憶合金線が複数本懸け渡され両端において並列接続されていることを特徴とする請求項１〜５、７〜１０のいずれか１項に記載の形状記憶合金アクチュエータ。
【請求項１２】
１本の形状記憶合金線が往、復を繰り返し懸け渡されていることを特徴とする請求項１〜５、７〜１０のいずれか１項に記載の形状記憶合金アクチュエータ。
【請求項１３】
請求項１ないし請求項１２のいずれか１項の形状記憶合金アクチュエータの形状記憶合金線に代えて形状記憶合金テープを用いたことを特徴とする形状記憶合金アクチュエータ。
【請求項１４】
請求項１〜１３のいずれか１項の構成に加えて、形状記憶合金線又は形状記憶合金テープの通電収縮により移動した可動子をその位置で保持固定する可動子保持固定手段を有することを特徴とする形状記憶合金アクチュエータ。
【発明の詳細な説明】
【技術分野】
【０００１】
本発明は、形状記憶合金線或いは形状記憶合金テープが電流を流し（通電し）たり、加熱したりすることによりその長さが収縮することを利用して駆動力を得るための小型アクチュエータの技術分野に属する。
【背景技術】
【０００２】
近時、カメラ付き携帯電話、腕時計型カメラのようにカメラが付加された携帯用機器が市場に提供されるようになって来ている。
携帯用機器であるから当然、小型、軽量であることは当然の要件であり、そのような機器に付加されるカメラに許容されるスペースは更に小さなものとなる。
【０００３】
カメラにあって、重要な機能の１つはレンズの焦点合わせである。
従来、カメラの焦点合わせのためのレンズの移動機構としては印加電圧によって寸法が変化する圧電材料を用いたもの（例えば、特許文献１参照）や、回転モータとギヤ機構を用いたもの（例えば、特許文献２、特許文献３参照）や、ボイスコイル形リニアモータを用いたもの（例えば、特許文献４参照）がある。
この他、形状記憶合金を用いて、電流を流すか加熱することによって収縮する性質を利用してレンズを移動させるもの（例えば、特許文献５、６、７参照）がある。
【０００４】
その１つは、両端に固定レンズを有する鏡胴内において移動レンズを置き、その一方の側には普通材料のコイルバネをバイアスバネとして設け、他方の側には形状記憶合金のコイルバネを設け、この形状記憶合金ばねを加熱または冷却することにより移動レンズを光軸方向に移動させるというものである（例えば、特許文献５参照）。
【０００５】
その２は、ピント調整レンズを固定した被駆動体とレンズ鏡胴の固定点との間に形状記憶合金を張り、これに電流を流すこと（通電）により形状記憶合金が収縮することを利用して被駆動体を移動させることによりピント調整レンズを移動させるというものである（例えば、特許文献６参照）。
【０００６】
その３は、両端を固定して懸け渡した形状記憶合金線の伸縮を利用してリンク機構を駆動し、リンク機構のピンによりバレルホルダを回転させ、バレルホルダに固定されたレンズバレルを光学軸方向に移動させるというものである（例えば、特許文献７参照）。
【特許文献１】特開昭５８−１６６３２８号公報（第３図）
【特許文献２】特公平１−２２６０２号公報（第１図）
【特許文献３】特開平１−９３７１２号公報（第４図、第５図、第８図）
【特許文献４】特許第３１６３７８９号公報（図１、図２）
【特許文献５】特開平９−１２７３９８号公報（図１、図２、図３）
【特許文献６】特開平１０−３０７６２８号公報（図２、図１０）
【特許文献７】特開２００２−２４４０１５号公報（図１〜図５）
【発明の開示】
【発明が解決しようとする課題】
【０００７】
しかしながら、上記従来技術のうち、圧電材料を用いたものは所望の寸法変化を得るためには大きな電圧を必要とし、変化した状態を維持するためには電圧を維持し電流を流し続けなければならない。
通常のカメラ或いはそれ以上のカメラにおいてはそのような電力を供給する容量の電池を装備することは可能であろうが、携帯電話のカメラや腕時計型カメラにはそのような電池を装備することは殆ど不可能である。
回転モータとギヤ機構を用いた移動機構もメカニズムが複雑であるうえ、相当のスペースを必要とし、携帯電話カメラや腕時計型カメラその他これと同等の薄型カメラに採用することは困難である。
ボイスコイル型リニアモータを用いた移動機構もレンズの光軸上にモータ分のスペースを必要とし、薄型カメラには不向きであるうえ、磁場発生の問題もある。
【０００８】
また、形状記憶合金を用いた前述の移動機構にも問題がある。前述１番目の、鏡胴内で形状記憶合金線によるコイルバネを用いる方法は、鏡胴内の光軸方向にバイアスバネが用いられている点で光軸方向距離が長くなるうえ、形状記憶合金線もコイルバネとなっており、光軸方向のスペースを必要とし、また、光軸方向における伸縮は、純粋に形状記憶合金線自体の伸縮による他バネとしての伸縮も入るため精度が必ずしも充分でないと言う問題がある。
【０００９】
前述２番目の、形状記憶合金の長さの伸縮をそのままレンズの移動量とする構成は、充分な移動量を得るためには、形状記憶合金の張り渡しを長くしなければならず、そのためのスペースを必要とし、携帯電話型や腕時計型等の薄型カメラには採用しにくいという問題がある。
【００１０】
前述３番目の、両端固定で懸け渡した形状記憶合金線の加熱による伸縮を利用してリンク機構を駆動し、リンク機構のピンによりバレルホルダを回転させ、その回転によりレンズバレルを光軸方向に移動させるという構造は、それ自体非常に複雑な構成となり、部品点数も多く、携帯電話型や腕時計型等の薄型カメラには到底採用し難いという問題がある。
【００１１】
そこで、携帯電話型カメラで現実に用いられている焦点合わせ機構は、外部から手操作の可能なレバー機構を用い手動で焦点合わせをするものが用いられているが、これとて、外部からの操作を可能にするためのレバーストロークのスペースを充分とれず、その操作自体も微妙な調整ができるというものではなく、通常とマクロの２者選択というものである。その他、部品点数も多く組立てコストが高くなるなどの問題もある。
【００１２】
本発明は、上記種々の従来技術における問題点に鑑みて、構造が簡単で、部品点数が少なく、スペースをとらず、微妙な調整ができ、且つ低価格で得られる、形状記憶合金を用いた移動機構の提供を課題とするものである。
【００１３】
本発明の移動機構は、携帯電話型カメラや、腕時計型カメラ等薄型カメラの合焦レンズの移動機構に適する他、同様の小型機器の微細移動機構に広く用いることができる。
【課題を解決するための手段】
【００１４】
本発明の形状記憶合金アクチュエータは、上記の課題を解決するために、以下の各手段構成を有する。
第１の構成は、下記の各手段を具備することを特徴とする形状記憶合金アクチュエータであって、基本的手段構成である。
（イ）線材又はテープ材を弛みを持たせて懸け渡すことのできる支持箇所を有する支持基材
（ロ）前記支持箇所間で弛みを持たせて懸け渡された形状記憶合金線
（ハ）前記形状記憶合金線の長さが電流を流すことにより収縮したとき弛みの減少に応じて弛み部分への突出部が形状記憶合金線に押されて移動する可動子
（ニ）前記可動子を前記形状記憶合金線へその収縮による移動力よりも弱い力で押し付ける付勢手段
【００１５】
第２の構成は、前記第１の構成において、支持基材の支持箇所および対応する可動子の突出部が複数であることを特徴とする形状記憶合金アクチュエータである。
【００１６】
第３の構成は、前記第１の構成又は第２の構成の形状記憶合金アクチュエータを複数段重ねたことを特徴とする形状記憶合金アクチュエータである。
【００１７】
第４の構成は、下記の各手段を具備することを特徴とする形状記憶合金アクチュエータであって、両面駆動型のものである。
（イ）線材又はテープ材を弛みを持たせて懸け渡すことのできる支持箇所を有する第１の支持基材
（ロ）線材又はテープ材を弛みを持たせて懸け渡すことのできる支持箇所を有し、支持箇所を有する面が、前記第１の支持基材の支持箇所を有する面に間隔を置いて固定対向する第２の支持基材
（ハ）前記第１の支持基材および第２の支持基材それぞれの支持箇所間で弛みを持たせて懸け渡された第１および第２の形状記憶合金線
（ニ）前記第１の支持基材および第２の支持基材の間にあって、両面にそれぞれ前記第１および第２の形状記憶合金線の各弛み部分に対応する突出部を有し、接している形状記憶合金線が電流の流れにより収縮したときに押されて移動する可動子
【００１８】
第５の構成は、前記第１の構成、第２の構成、第３の構成又は第４の構成において、支持基材の複数の支持箇所および対応する可動子の突出部が円形状に配列されていることを特徴とする形状記憶合金アクチュエータである。可動子の内側円形空間にレンズを取付けることにより、レンズ移動の典型的な構成となる。
【００１９】
第６の構成は、下記の各手段を具備することを特徴とする形状記憶合金アクチュエータで、傾き移動が得られるものである。
（イ）線材又はテープ材を間隔を置いて２本平行して弛みを持たせて懸け渡すことのできる支持箇所を有する支持基材
（ロ）前記支持箇所間で弛みを持たせ、間隔をあけて平行に懸け渡された２本の形状記憶合金線
（ハ）前記形状記憶合金線の弛みに対応する突出部を有し、形状記憶合金線が収縮したときに突出部が押されるように配置され、１本の形状記憶合金線のみ収縮した場合および２本の形状記憶合金線の収縮程度が異なる場合に傾き移動をする可動子
（ニ）前記可動子を形状記憶合金線へその収縮による移動力よりも弱い力で押し付ける付勢手段
【００２０】
第７の構成は、前記第１から第６の構成のいずれかにおいて、支持基材の支持箇所の形状が凹凸の繰り返し形状の凸部であることを特徴とする形状記憶合金アクチュエータである。
【００２１】
第８の構成は、前記第１から第６の構成のいずれかにおいて、支持基材の支持箇所の形状が板状部材上に円柱状部材を一定間隔で並べた形状であることを特徴とする形状記憶合金アクチュエータである。
【００２２】
第９の構成は、前記第１から第８の構成のいずれかにおいて、可動子の突出部の形状が凹凸の繰り返しによって形成された凸部であることを特徴とする形状記憶合金アクチュエータである。
【００２３】
第１０の構成は、前記第１から第８の構成のいずれかにおいて、可動子の突出部の形状が板状部材上に円柱部材を一定間隔で並べた形状であることを特徴とする形状記憶合金アクチュエータである。
【００２４】
第１１の構成は、前記第１から第５、第７から第１０の構成のいずれかにおいて、形状記憶合金線が複数本懸け渡され両端において並列接続されていることを特徴とする形状記憶合金アクチュエータである。
【００２５】
第１２の構成は、前記第１から第５、第７から第１０の構成のいずれかにおいて、１本の形状記憶合金線が往、復を繰り返し懸け渡されていることを特徴とする形状記憶合金アクチュエータである。
【００２６】
第１３の構成は、前記第１ないし第１２の構成の形状記憶合金アクチュエータの形状記憶合金線に代えて形状記憶合金テープを用いたことを特徴とする形状記憶合金アクチュエータである。
【００２７】
第１４の構成は、前記第１ないし第１３の構成のいずれかの構成に加えて、形状記憶合金線又は形状記憶合金テープの通電収縮により移動した可動子をその位置で保持固定する可動子保持固定手段を有することを特徴とする形状記憶合金アクチュエータである。
【発明の効果】
【００２８】
以上述べたように、本発明の形状記憶合金アクチュエータは支持基材の２つ以上の支持箇所間に形状記憶合金線或いは形状記憶合金テープを弛みを持たせて懸け渡し、これに通電加熱すると収縮して緊張することを利用して、弛みに対応させて突出部が設けられている可動子を、収縮緊張する形状記憶合金線（又はテープ）が突出部を押すことによって移動させるというものであるところから、支持基材の複数の支持箇所および可動子の複数の突出部を平面的に配列することにより、全体構成を平面状に形成することができ薄型にできるという極めて顕著な利点を有する。
また、平面状であっても、支持箇所および対向する突出部の配列はそれぞれ同一平面上で、用途に応じた配列にすることができる。例えば、カメラの合焦レンズを合焦移動させる用途の場合には、円形配列とし内側はレンズを配置する円形空間とすることにより極めて薄型のレンズ移動手段が実現可能となる。
【００２９】
次に、形状記憶合金の収縮緊張の程度は、通電加熱の程度によって正確に定まるから、電流を制御することによって移動量を制御でき、微妙な位置調整が可能であるという利点がある。
そして、その位置で停止固定させたいときには可動子保持固定手段により固定することにより、通電を停止しても所望の位置に保持しておくことが可能であり、消費電力の節減が可能であるという利点がある。
以上のような利点があるにもかかわらず、構成は極めて単純で構成部品も少ないところから低価格であるという利点がある。
【発明を実施するための最良の形態】
【００３０】
本発明の最良の実施の形態としては、できる限り薄型で且つ可動子の移動スロトークの大きいアクチュエータを実現することである。
そのためには、支持基材の厚さ方向の寸法は形状記憶合金線或いはテープの非通電状態における支持箇所間の弛みの深さとほぼ同じくし且つ、通電加熱したときには形状記憶合金線或いはテープがほぼ一直線になるように収縮緊張するよう設定した形態である。
【００３１】
そして、可動子の突出部は、形状記憶合金の非通状態で最も弛んでいるときにその谷底部に丁度接するように設定することにより、通電時と非通電時とのストロークを最も大きく取り出せることになる。支持基材の支持箇所および可動子の配列形状は用途に応じて定めることになる。
以下、本発明の形状記憶合金アクチュエータの実施例を図面を参照して説明する。
【実施例１】
【００３２】
図１は本発明の形状記憶合金アクチュエータの基本構成の実施例の構造図である。
（ａ）は可動子２と支持基材６とを離して描いた斜視図である。材質は、ポリオキシドメチレン、ポリカーボネート、ポリイミド等の絶縁樹脂である。可動子２には複数の突出部３が設けられており、対する支持基材６には複数の支持箇所７が設けられ、隣り合う支持箇所同士によって形成される凹部８が、可動子２の各突出部３と対応するようになっている。支持基材６には、形状記憶合金線４がその両端を固定部５で固定されて張られている。図では３本であるが、１本でもその他の本数であってもよい。
（ａ）の状態は、形状記憶合金線４が通電加熱により収縮緊張して直線状に張った状態を示している。形状記憶合金を細線状或いは細テープ状にしたものは、常温ではマルテンサイト相にあり、ナイロン系のように柔らかくしなやかな状態を呈しているが、電流を流す（通電する）などして加熱されると記憶している母相に戻り、長さが短くなるとともに固くて剛い針金状又はテープ板状になる。
【００３３】
（ｂ）は形状記憶合金線を固定する前の横断面図である。
（ｃ）は、非通電状態でマルテンサイト相の形状記憶合金線４を、各支持箇所７間で弛みを持たせて懸け渡し、その弛みの谷底部に可動子２の突出部３の先端が接するようになっている。しかし、この状態で形状記憶合金線に荷重がかからないように、可動子２は丁度、固定部５によって支持されるようになっている。
そして、非通電時にはこの状態が維持されるように、形状記憶合金線４の収縮によって可動子２を持ち上げようとする力よりは小さい力のバイアス力９が加わっている。このバイアス力９の発生手段としては主としてばねやゴムのような弾性体や磁力が用いられるが、（ｃ）のような状態においては可動子２の自重自体がバイアス力となり得る。
このような状態から形状記憶合金線に通電加熱すると、記憶している状態即ち収縮緊張して（ｄ）に示すように直線状になり、その力により、バイアス力９に抗して可動子２を押し上げることになり、この可動子２の動きにより他の構造の移動を駆動することになる。
【００３４】
図２は、図１の変形例である。
図２は、可動子２と支持基材６を離した状態で、形状記憶合金線４が収縮緊張した状態を示しているが、非通電時には形状記憶合金線４は凹部８の部分で下方へ弛んでおり、可動子２の突出部３は凹部８の中に嵌合した状態となって、係合部１０が、凹部８内において形状記憶合金線４の弛みの谷底部に跨るようにして接している。そして、形状記憶合金線に通電すると図２に示すように直線状態となるため可動子２は押し上げられるということになる。この可動子２の動きが他の構造の移動を駆動することになる。
【００３５】
以上、図１および図２においては、形状記憶合金線が複数本懸け渡されているが、駆動が小さくてよい場合には１本であってもよい。なお複数本懸け渡されている場合には、各両端同士が電気的に接続されて通電及び非通電は同時に行なわれるようになっている。
【００３６】
これに対して、図３は１本の長い形状記憶合金線４を、両端のプーリ１１を介して往復させて懸け渡した例である。図１、図２の場合のように複数の合金線が独立である場合に較べて、往復線の伸縮が均一になるという利点がある。
【実施例２】
【００３７】
図４は、図１の基本構成を複数段（図４では３段）重ねたものである。図４の例では、重ねた場合の高さ寸法ができるだけ大きくならないようにするために、下から２段目の支持基材の下側に突出部を設け、１段目の可動子となるようにしている。同様に３段目の支持部材は同時に２段目の可動子となっている。
図４の（ａ）は、形状記憶合金線４は非通電で、弛んだ状態になって最も低い状態になっている。
図４の（ｂ）は、３本の形状記憶合金線４の総てに通電した場合で最も高くなっている。当然のことながら１段のみの場合に較べて３倍の移動量となる。また、３段のうちいずれか２段のみを通電すれば１段の場合の２倍の移動量となる。このように重ね構成の場合には移動量の選択が可能となる。
【実施例３】
【００３８】
図５は、支持基材対向型の例である。
支持基材６が２個対向して（図５では上下に）設けられ、その間に可動子１２が置かれている。可動子１２は両面に突出部３が設けられている。
（ａ）は、上側の形状記憶合金線４を通電加熱することにより可動子１２が下方に移動している場合であり、（ｂ）は下側の形状記憶合金線４を通電加熱することにより可動子１２が上方へ移動している場合である。この構成のものは、上下の形状記憶合金線に流す電流を制御することにより、（ａ）と（ｂ）の間の任意の位置へ移動させることができる。
【実施例４】
【００３９】
図６は、可動子の突出部および支持基材の支持箇所が円形状に配列された例である。可動子１６は円筒部１７と複数の突出部１９を有する。
これに対応する支持基材２０においても複数の支持箇所２１が円形状に配列されており、その内側は円形穴２５となっている。前記突出部１９は隣り合う支持箇所２１の間の凹部８に対向している。円形配列となっている支持箇所２１には形状記憶合金線４が、非通電時に弛みを持つようにして懸け渡されている。各支持箇所２１には形状記憶合金線４が支持箇所から外れ落ちないように溝２２が設けられており、形状記憶合金線４はこの溝に嵌め込むようにして懸け渡されている。形状記憶合金線４の両端はそれぞれ引込み孔２３を経て、支持基材２０の裏面に出てそこで通電端子に固定されている。非通電時、形状記憶合金線４は凹部８で弛んでおり、そこへ可動子１６の突出部１９が乗るように嵌まっている。
【００４０】
枠体１３は、上から可動子１６の円筒部１７が、枠体１３の円窓１４に嵌まるようにするとともに足１５が支持基材２０の穴２４に挿入されるようにして支持基材に固定する。この状態では、枠体１３の下面で付勢ばね１８が下方へ押されることにより、付勢ばね１８は可動子１６を支持基材２０の方へ押し付けるよう付勢することになる。付勢ばねの強さは、形状記憶合金線４が収縮して可動子１６を押し上げようとする力よりも小さく設定されている。
従って、形状記憶合金線４に通電すると収縮緊張して突出部１９を押し上げることにより、可動子１６の円筒部１７が円窓１４にガイドされた状態で上昇する。電流を断にすると下がる。
【００４１】
本実施例の活用例としては、可動子１６の円筒部１７内に焦点合わせ用のレンズを固定することにより、薄型の合焦レンズ移動機構として活用できる。
【実施例５】
【００４２】
図７は、可動子２を傾斜移動させる場合の実施例である。
支持基材６に形状記憶合金線４を２本平行に懸け渡してある。（ａ）は２本とも通電加熱により収縮緊張している状態であるが、非通電状態では、形状記憶合金線４は各凹部８で弛みを有するように懸け渡されている。
従って、一方に通電し、他方に通電しないときには（ｂ）に示すように可動子２が傾くことになる。通電、非通電を逆にすると傾きも逆になる。可動子２に回動軸を設けると軸を中心とする回動が得られる。
【実施例６】
【００４３】
図８は支持基材の支持箇所および可動子の突出部として円柱状部材を用いた例である。
（ａ）は、板状の支持基材２６の上に円柱状の支持箇所２７が等間隔平行に設けられている例である。（ｂ）は、形状記憶合金線４が非通電の状態で、下面に円柱状の突出部２９が等間隔平行に固定された可動子２８が乗せられた状態である。（ｃ）は、通電により形状記憶合金線４が収縮緊張して可動子２８を押し上げた状態の図である。
【実施例７】
【００４４】
図９は、図１の構造のものに可動子保持固定手段３０を設けたものである。
これは、形状記憶合金線４に通電して可動子２が移動する間は可動子２に接することなく、可動子２が移動したところで可動子２に接触して、形状記憶合金線４への通電を断にしても可動子保持固定手段３０が解除されるまではその位置に保持固定するようにしたものである。
【００４５】
保持機能は、可動子２と可動子保持固定手段３０との接触摩擦を利用してもよいし、可動子保持固定手段３０が接したときに、可動子２の端部が係止されるような係止凹部を可動子保持固定手段３０に設けてもよい。なお図では、可動子２が横方向から押されてもずれないようにする本来の移動方向のガイド機構は図示が省略されている。
（ａ）は、通電前の状態で、可動子２は最下位にあり、可動子保持固定手段３０も可動子２とは接していない。
（ｂ）は、通電により、形状記憶合金線４が収縮緊張して可動子２が上方へ移動した状態を示している。
（ｃ）は、（ｂ）の状態に可動子保持固定手段３０が可動子２に接して形状記憶合金線４の通電を断にし、弛んだ状態になっても可動子２をその位置に保持固定している状態を示している。
（ｄ）は、可動子保持固定手段３０が可動子２から離れたことにより、可動子が矢印で示される付勢バイアス力によって支持基材６の方へ移動した状態を示す。
【００４６】
付勢バイアス力は、ばねやゴムのような弾性材による力、重力、磁力等が考えられるが図のように上下移動の場合には可動子２の重力が最も単純な構成となる。
この構成においては、形状記憶合金線４に流す電流の任意の値、即ち、可動子２の任意の位置で可動子保持固定手段を３０を動作させることにより、任意の位置で可動子２を保持することができる。
【００４７】
図１０は、図５の構成の両サイドに可動子保持固定手段３０を設けたものである。可動子１２に対する作用は、図９の場合と同様である。可動子１２が或る位置で可動子保持固定手段３０で保持されたときは、上下の形状記憶合金線の通電が遮断されても、可動子保持固定手段３０の保持が解除されるまでは、その位置に保持される。
この可動子保持固定手段３０の付加は、図１や図５の構成のものに限られずすべての形状記憶合金アクチュエータに適用され得る。
【００４８】
以上の実施例では形状記憶合金は線状のもので説明されているが、線状のものに限定されるものではなく、幅の狭いテープ状のものであってもよく、要は支持箇所間で弛みを持たせて懸け渡すことができ、且つ支持箇所の配列が直線状であるものに限らず、円形その他の曲線的配列に応じて懸け渡すことのできる形状のものであればよいのである。
【図面の簡単な説明】
【００４９】
【図１】本発明の形状記憶合金アクチュエータの基本構成の実施例の構造図である。
【図２】図１の変形例の構造斜視図である。
【図３】本発明アクチュエータにおいて、１本の長い形状記憶合金線を、支持基材両端のプーリを介して往復させて懸け渡した例である。
【図４】図１の基本構成を複数段重ねたものである。
【図５】本発明のうち支持基材が対向し、間に可動子が設けられた例の構造図である。
【図６】本発明のうち、可動子の突出部および支持基材の支持箇所が円形状に配列された例の斜視図である。
【図７】本発明のうち、可動子を傾斜移動させる場合の例の構造図である。
【図８】本発明のうち、支持基材の支持箇所および可動子の突出部として円柱状部材を用いた例の構造図である。
【図９】図１の構造のアクチュエータに可動子保持固定手段を設けた例の構造図である。
【図１０】図５の構造のアクチュエータの両サイドに可動子保持固定手段を設けた例の構造図である。
【符号の説明】
【００５０】
１  形状記憶合金アクチュエータ
２  可動子
３  突出部
４  形状記憶合金線
５  固定部
６  支持基材
７  支持箇所
８  凹部
９  バイアス力
１０  係合部
１１  プーリ
１２  可動子
１３  枠体
１４  円窓
１５  足
１６  可動子
１７  円筒部
１８  付勢ばね
１９  突出部
２０  支持基材
２１  支持箇所
２２  溝
２３  引込み孔
２４  穴
２５  円形穴
２６  支持基材
２７  支持箇所
２８  可動子
２９  突出部
３０  可動子保持固定手段
【図１】
2005226456.tif 000003
【図２】
2005226456.tif 000004
【図３】
2005226456.tif 000005
【図４】
2005226456.tif 000006
【図５】
2005226456.tif 000007
【図６】
2005226456.tif 000008
【図７】
2005226456.tif 000009
【図８】
2005226456.tif 000010
【図９】
2005226456.tif 000011
【図１０】
2005226456.tif 000012